(57)【要約】【課題】通信の品質を高め、且つ組み立ての容易な、クロストークを減少させるプラグの構造を提供する。【解決手段】本体１はコンセントの挿入孔に相対応する構造からなり、該本体１内には多数の導線１１を設け、該本体１底部には多数の導線溝２１１を設けると共に、各該導線溝２１１は該本体１の底部より上方に延長させ、且つその内部にはピン２４を設置し、該ピン２４を該導線２２と電気的に接続させ、少なくとも該導線２２の１本を延長部２５１を設けた延長ピン２５の延長部に接続することにより、その本来のピン位置から迂回した位置で接続、配置する。【選択図】　　　　図３
0003096955.tif 000002
【実用新案登録請求の範囲】
【請求項１】
コンセントの挿入孔に相対応した本体構造を含み、
該本体内には通信線からの多数の導線が配置され、該本体底部には多数の導線溝が設けられて各該導線溝は該本体の底部より上方に延長されると共にその内部にはそれぞれピンが配置され、該ピンは該導線と電気時に接続されており、該導線の内の少なくとも一つが延長ピンと電気的に連結されるべく本来のピン位置以外の側に迂回配置され、更に該延長ピンは湾曲して延長し他端にて該導線と接続する延長部を形成しており、本来設置されるピンの位置にまで迂回していることにより、
通信時の干渉によるクロストークを減少させることを特徴とするクロストークを減少させるプラグの構造。
【請求項２】
該本体内にはインサート部が設けられており、該インサート部上には各導線を配置して各ピンと電気的に接続するべく導線溝が設けられていることを特徴とする請求項１記載のクロストークを減少させるプラグの構造。
【請求項３】
該導線溝の数量は、組み立ての際に便利なよう、導線の少なくとも１本が最側面に位置するべく、導線よりも一つ多いものとすることを特徴とする請求項２記載のクロストークを減少させるプラグの構造。
【請求項４】
該延長ピンの延長部の面積は、クロストーク現象を防止させるべく、隣接する各ピンの面積より小さいものであることを特徴とする請求項１記載のクロストークを減少させるプラグの構造。
【請求項５】
該延長ピンは、二つの独立したピンとし、該二つの独立したピンが相互に電気的に相通するべく、これらの中間には跨乗した状態で導体が設けられていることを特徴とする請求項１記載のクロストークを減少させるプラグの構造。
【考案の詳細な説明】
【０００１】
【考案の属する技術分野】
本考案はクロストークを減少させるプラグの構造に係り、特に内部に多数の導線を設けたプラグにおいて、少なくとも一つの導線が、本来配置されるピンの位置以外の位置で接続され、また該延長部が湾曲及び延長して、ピンが設置される元の位置にまで迂回していることで、通信時の干渉によるクロストークが大幅に減少されるプラグの構造に関わる。
【０００２】
【従来の技術】
図１に示すように、一般に公知のプラグは、通信用のコンセント内に差込まれて使用されるものである（図中なし）。本体１を含み、該本体１内には多数の導線１１が設けられており、該本体１底部には多数の導線溝が設けられており、各該導線溝はそれぞれ導線１１と電気的に接続されて導通している。
【０００３】
【考案が解決しようとする課題】
しかし上述のような公知のプラグは、通信用としてコンセントに連結されるものであるが、ピン位置上の導線が密に並列されていることより、各導線とピン間が相互に干渉しやすく、クロストーク現象が起こりやすいといった欠点がある。そこで通信の品質を高め、且つ組み立ての容易な、本考案のクロストークを減少させるプラグの構造を提供する。
【０００４】
【課題を解決するための手段】
プラグ本体はコンセントの挿入孔に相対応して接続する構造とし、該本体内には多数の導線を配置し、該本体底部には多数の導線溝を設けると共に各導線溝を該本体の底部より上方に延長させ、且つその内部にはピンを設置し、該ピンを該導線と電気的に接続させると共に、少なくとも該導線の１本を本来接続するピン位置以外の側に配置して、本来の接続位置から迂回したピン位置に延長部を設けた延長ピンの延長部に接続してなるプラグである。
【０００５】
【考案実施の形態】
図２に示すように、本考案のプラグは本体２を含み、該本体２はコンセント（図中なし）の孔と相対するべく設計されている。該本体の内部には多数の導線２２が設けられており、底部には多数のスロット２３が設けられている。
各該スロット２３は該本体２の底部より上方に延長しており、その内部にはピン（本実施例の本体スロット２３内には、計６本のピン２４及び２本のピン２５を有する）が設けられており、該ピン２４は該導線２２と電気的に連結をしており、該延長ピン２５と電気的に連結させるべく、少なくとも一つの導線２２は本来配置される各ピン位置以外の側に配置され、該延長ピン２５は湾曲及び延長してもう一端で延長部２５１を形成している。
こうして全体が略コの字型を呈したようになっており、該延長部２５１は本来のピン位置上に迂回した形となっており、且つ該延長ピン２５の延長部２５１の面積は、隣接する各ピン２４の面積より小さいため、ピン間の感応面積が減らされてクロストークが減少する構造となっている。
また、該延長ピン２５と各該ピン２４との間には隙間が設けられており、こうすることでショートをも防止している。尚、該延長ピン２５は必ず一体成型で、二つの独立したピンとし、該二つの独立したピンの中間には導体が跨乗した形で設けられており、こうすることで、二つの独立したピンが電気的に相通するようになっている。
【０００６】
該インサート部分２１においては、該インサート部分２１上に導線溝２１１が設けられている。該導線溝２１１内には導線２２が配置され、且つ該インサート部分２１は該本体２内部に設置されていることより、各該ピン２４或いは延長ピン２５と電気的に接続している。該導線溝２１１の数においては、該導線２２の数より一つ多く設けられており、これは少なくとも一つの導線２２が最側面に配置されるようにして、配置に便利なようにしている（本実施例では、任意の２本の導線２２が導線溝２１１両側に配置されるべく、導線溝２１１の数を該導線２２の数より二つ多く設けている）。また該導線溝２１１の位置は浅いものと深いものとを交互に設置することで、クロストークを減少させるようにしている。
【０００７】
上述の構造により、図２〜図６に示すように、本考案の特徴は該本体２の二つのスロット２３内に設置した各ピン２２が各導線２２と電気的に接続されているところにあり、少なくとも一つの導線２２は、本来の配置位置以外の側に配置されており、該延長ピン２５と電気的に接続できるようになっていることであり、該延長ピン２５は湾曲及び延長してもう一端にて延長部２５１を形成しているが、該延長部２５１は本来設置されるピン位置に迂回した形となっていることで、該延長部２５１と電気的に導通している。
また該導線２２を最側面に配置することで、各導線２２間の干渉によりクロストークが生じることを防止しており、通信における品質を向上している。更に該延長ピン２５の延長部２５１の面積が隣接する各ピン２４の面積より小さい、即ちピン間の感応面積が減少されていることより、ここでもクロストークの発生が防止されている。
該インサート部２１上には導線溝２１１が設けられており、各導線２２は各導線溝２１１内に配置され、該インサート部２１は該各導線２２と共に該本体２の収容溝２６を経て、該本体２内に組み込まれる。
こうして該各導線を該各ピン２４或いは延長ピン２５と電気的に連結され、且つ該導線溝２１１の数は該導線２２の数より一つ多く設置されていることから、少なくとも一つの導線２２が最側面に位置するようになり、更に該導線溝２１１は深いものと浅いものとが交互に設けて位置をずらしていることから、更にクロストークが減少する構造となっている。
【０００８】
【考案の効果】
本考案によると、クロストークが少なく、組み立てが簡単であるといった効果により、プラグの実用性が更に増した。
【図面の簡単な説明】
【図１】公知におけるコネクタの外観説明図である。
【図２】本考案実施例における外観説明図である。
【図３】本考案実施例における立体分解図である。
【図４】本考案実施例における断面説明図である。
【図５】本考案実施例におけるもう一つの断面説明図である。
【図６】本考案の実施例におけるもう一つの角度からの外観説明図である。
【符号の説明】
１　本体
１１　導線
２　本体
２１　インサート部分
２１１　導線溝
２２　導線
２３　スロット
２４　ピン
２５　延長ピン
２５１　延長部
２６　収容溝
【図１】
0003096955.tif 000003
【図２】
0003096955.tif 000004
【図３】
0003096955.tif 000005
【図４】
0003096955.tif 000006
【図５】
0003096955.tif 000007
【図６】
0003096955.tif 000008